(57)【要約】【課題】  本発明は、電子的な名刺交換が携帯電話等を利用し、ワンタッチで行える装置及びシステムを提供することで、現在紙製カードで行っている名刺交換に取って代わることを目指す。【解決手段】  光通信（赤外線等）機能を有するデータ交換用装置（データ・アウトレット）を開発し、携帯電話等に装着することで電子的な名刺交換がワンタッチで可能となる。かつ携帯電話等に名刺等データの編集システム（ソフトウェア）をインストール又は、ダウンロードすることで、携帯電話等種々のモバイル機器にて電子的な名刺交換及び電子名刺（デジタル・ネームカード）の創作が実行できるようになる。【選択図】図１
2009171532.tif 000002
【特許請求の範囲】
【請求項１】
様々な形態の携帯電話や電子手帳などのモバイル機器、或いはパソコンなどのデータ処理装置に装着できる構造を有し、相互のデータの瞬時高速交換を可能とするために工夫した凸凹形状の圧接面（これを「アウトレット・フェイス」という）とその部分に組み込んだ赤外線等の光通信による送受信装置、更にその装置と連動する押しボタンスイッチから成る機器（これを「データ・アウトレット」という）及びそのシステム。
（注：アウトレットとは、日本ではコンセントと言われているものの正式な英語表記です。従って、日本では「コンセント・フェイス」や「データ・コンセント」と表記した方が一般的かもしれません。）
【発明の詳細な説明】
【技術分野】
【０００１】  携帯電話の通常通信機能ではなく、近距離通信用機能（赤外線等）を有する装置を携帯電話等モバイル機器に装着し、近距離での高速なデータ授受機能を附加することで様々な双方向データ交換、特に電子式名刺交換を可能とする装置及びシステムに関するもの。
【背景技術】
【０００２】  （ａ）これまでの名刺交換方法は、紙製のカードを手渡しにより行うものであった。
（ｂ）最近、携帯電話の通信機能を利用した名刺交換を考案した例があるが、電子メールを利用した名刺交換等に留まっている。
（ｃ）携帯電話に接続し、電子名刺交換を行うための補助入力器具として現在考案がなされているものは、インターネットを経由してデータベースサーバーを利用したものであり、瞬時のデータ交換がなされてはいない。
（ｄ）上記の補助入力器具は、赤外線を利用したものがあるが、ワンタッチによる瞬時のデータ交換ができないため。実際の名刺交換の場での実用性がない。
【発明の開示】
【発明が解決しようとする課題】
【０００３】  現行の紙製カードによる名刺交換では大量の名刺管理が煩わしく、検索や更新も容易ではない。そこで、電子的な方法により、紙製カードと同等以上の効果を持つ名刺交換の方法を提供することを目指す。
具体的には、名刺交換の場では以下のようなことが瞬時に行われていると考えられ、これらの機能を合わせ持つ装置及びシステムを創作する。
（ａ）１対１の情報交換が基本だが、１対ｎの場合もある（受信有効距離１ｍ）
（ｂ）１回の交換の時間は２秒程度（データ転送速度は、５００ｋｂ／ｓ以上）
（ｃ）交換した相手の情報（データ）がその場で確認できる
（ｄ）一度に多くの人と名刺交換を行う場合がある（賀詞交換会など）
（ｅ）名刺のサイズ・形式は殆ど一定だが、中には大きいものや、異形のものがある
（ｆ）様々な表示（図形、文字、顔写真、色刷り、記号（商標等）を含むものがある
（ｇ）相手の会社名・役職と相手の顔（容貌）をその場で照し合せている
（ｈ）日時、場所、商品等の情報がその場で追加されることもある（手書きにより）
【課題を解決するための手段】
【０００４】  本発明は、名刺交換の場で、携帯電話等のモバイル機器を所有する人であれば、電子式の名刺交換を行なえるようにする装置及びシステムである。その詳細は、以下の通りである。
（ａ）携帯電話等に近距離通信機能（赤外線等）を附加し、１対１で瞬時高速のデータ交換を行える装置（データ・アウトレット）を創作する。また、双方の距離を１ｍ程度離せば、１対ｎも可能な通信方式とする。
（ｂ）データ・アウトレットの圧接面（アウトレット・フェイス）の形状（［図１］に示す）を工夫（黄金比を考慮）することで、ワンタッチの圧接（俗な表現では「ｋｉｓｓ」）による電子データ（名刺等）の交換を可能とする。
（ｃ）データ・アウトレットを携帯電話等に接続することで、電子的に交換したデータをその場で携帯電話等の表示器に出力し、確認できるようにする。
（ｄ）多くの人と名刺交換をする場合、相手は色々な形態の携帯電話等を所持しているので、様々な携帯電話等に装着できるようデータ・アウトレットの装着構造を工夫することで、名刺交換等の場での実用性を高める。
（ｅ）データ・アウトレットを所持していない相手と電子的名刺交換を行うため、相手の紙名刺をスキャナーで読み取り、携帯電話等にデータとして取り込めるようにする。
（ｆ）名刺交換用システム（ソフトウェア）をｍｉｎｉｄｉｓｋやパソコンから携帯電話等にインストールすることや、通信機能を利用してセンターからダウンロードすることで、既存の携帯電話等に電子的な名刺交換機能（相手情報の表示など）やデータ編集機能（顔写真、音声、商品情報等の追加、検索などの操作）を持たせる。
以上の各機能を組み合わせた装置及びシステムにより、実用的な電子式名刺交換等の瞬時高速のデータ交換を可能とする。
【発明の効果】
【０００５】  本発明により、以下のような効果が期待できる。
（ａ）紙製カードによる名刺交換が不要となり、紙資源の節約が図れる。
（ｂ）電子的なデータによる名刺交換のため、多量データの管理が容易になると同時に、交換日時や交換場所、更に音声や顔写真等の情報を容易に附加できるため、種々の検索方法が考案できる上に、忘れた記憶を辿るための手段にもなる。
（ｃ）更に、名刺データの交換に止まらず、種々データのワンタッチ交換ができるため、幅広い応用が可能となる。例えば、名刺交換後、会社案内、製品案内等の交換もできる。また、着メロやゲームソフト、電子マネー等の交換もワンタッチで可能である。
【発明の実施の最良の形態】
【０００６】  本発明の実施形態である電子式名刺交換において、データ・アウトレット及びその使用方法を図面で説明する。図１にデータ・アウトレットの構造例（携帯電話の外部機器端子に接続することで、容易に電子式名刺交換ができる形態）として、一番簡易な形態を提示する。これは携帯電話の外部機器端子との間に接続用の変換コネクタを入れることで、様々な携帯電話等のモバイル機器にデータ・アウトレットを取り付けることが出来る例である。次に、図２はデータ・アウトレットを携帯電話等に装着し固定することで、携帯電話等と一体化する構造例である。携帯電話等は様々な形、大きさ、厚さがあるため、それに対応して装着ができる構造を工夫した。特に、コネクタ部分（図２の中の符号６）は横にスライドできる構造とし、携帯電話等のコネクタ位置に合わせて調整が可能になっている。また、スキャナー機能を持つ液晶表示部があり、紙名刺データの取り込みも可能な形態である。図３はデータ・アウトレットが携帯電話等と一体成型された構造の例で、電子名刺交換に最も適した形態である。ただ、このような携帯電話等が普及するには電子式名刺交換が知れ渡ることが必要で、少々時間が掛かると思われる。従って、一番簡易な形態の図１のデータ・アウトレットから実施することが先決と考える。
【０００７】図４に示すデータ・アウトレットの機能構成図等で、動作の概要を記載する。
（ａ）電子式名刺交換の準備
まず、電子式名刺データを携帯電話で作成するため、電子名刺交換用ツールを携帯電話にダウンロード又はインストールする。次に、携帯電話の液晶画面を見ながら先ほどのツールの名刺作成機能を使い、図６に例示したような電子名刺のレイアウトを作成する。必要により携帯電話のカメラで取った自分の顔写真や会社のロゴマーク等を追加し、電子名刺を完成させる。
そして図５に示すようにデータ・アウトレットを変換コネクタで携帯電話に接続し、電子式名刺交換の準備が完了する。
（ｂ）電子式名刺交換の実施
相手もデータ・アウトレットを有する携帯電話を持っている場合は、図５に示すように互いのアウトレット・フェイスを圧接させることで、電子名刺の交換がされ、各々の携帯電話の液晶画面で相手の名刺データが確認できる。相手がデータ・アウトレットを有してない或いは、電子名刺データを作成してない場合は、既存の紙名刺を液晶画面のスキャナーから読み込み、相手のメールアドレスを確認したら、そこに自分の電子名刺データを自動返送することで、電子式名刺交換を完了する。
（ｃ）データ・アウトレットの動作詳細
電子式名刺交換におけるデータ・アウトレットの動作は、以下のようなものである。まず、動作の動力源は、の図４の携帯インターフェース部から供給される携帯電話のバッテリーからによる場合とデータ・アウトレット自体が持つバッテリーからの２パターンが用意されており、通常はデータ・アウトレット自体のバッテリーで動作する。ただ、このバッテリー電圧が低下した場合は、携帯電話側から供給するように切り替える。次に、携帯電話のモードを電子名刺交換に設定し、データ・アウトレット双方のアウトレット・フェイスを圧接することで図４のスイッチ部のボタンが押下され、図４の処理部を経由して図４の発光部より赤外線を出して名刺データを送信する。同時に図４の受光部は相手からの赤外線を感知し、相手の名刺データを図４の変換部を経由して図４の処理部に取り込み、図４の液晶表示部に図６の名刺レイアウトの形式に編集して表示させる。或いは、図４の携帯インターフェース部を経由して携帯電話側に名刺データを渡し、携帯電話の液晶画面に表示させる。更に、受信した相手の名刺データを図４のメモリー部に蓄積し、次の名刺交換に備える。
【図面の簡単な説明】
【０００８】
【図１】データ・アウトレットの構造例１
【図２】データ・アウトレットの構造例２
【図３】携帯電話と一体型のデータ・アウトレット構造例
【図４】データ・アウトレットの機能構成図
【図５】電子式名刺交換の方法
【図６】電子名刺のレイアウト例
【符号の説明】
【０００９】  １  アウトレット・フェイスの凸形部
２  アウトレット・フェイスの凹形部
３  光通信の発光器（半導体レーザーなど）
４  光通信の受光器
５  光通信の開始スイッチ（押しボタン）
６  携帯電話等への接続部（コネクタ）
７  携帯電話等へ装着時の圧接部
８  携帯電話等へ装着時に圧接部の圧力を調整する摘み
９  スキャナー機能を持つ液晶表示部
【図１】
2009171532.tif 000003
【図２】
2009171532.tif 000004
【図３】
2009171532.tif 000005
【図４】
2009171532.tif 000006
【図５】
2009171532.tif 000007
【図６】
2009171532.tif 000008